(57)【要約】【課題】書類を折り返し一部重ならせて収納できるようにすることにより、設置面積を狭くでき、しかも容積も小さくなって取り扱い易い書類収納ケースを提供する。【解決手段】前壁２ａに開設される書類出入口３と、前記前壁２ａの後側に書類出入口３と連通し書類Ｐが収納し得るように成形される書類収納室１とを備え、該書類収納室１の前後方向の寸法Ｌは前記書類Ｐの収納方向の寸法よりも短く、書類収納室１の奥端部に後方へ窪んで湾曲し前記書類出入口３から挿入される書類Ｐの先端部ｐ１を折り返して該書類出入口３側へ導く凹弧面６を設けた構成からなる。【選択図】図２
2006205675.tif 000002
【特許請求の範囲】
【請求項１】
前壁に開設される書類出入口と、前記前壁の後側に前記書類出入口と連通し書類が収納し得るように成形される書類収納室とを備え、前記書類収納室の前後方向の寸法は前記書類の収納方向の寸法よりも短く、前記書類収納室の奥端部に後方へ窪んで湾曲し前記書類出入口から挿入される書類の先端部を折り返して前記書類出入口側へ導く凹弧面を設けたことを特徴とする書類収納ケース。
【請求項２】
前記書類収納室の内壁面に、前記書類出入口から挿入される書類の基端部がほぼ該書類出入口に達したとき、前記書類の先端部が嵌り込んで停止する受止部を設けた請求項１記載の書類収納ケース。
【発明の詳細な説明】
【技術分野】
【０００１】
本発明は、机上など所定個所に配置して使用される書類収納ケースに関するものである。
【背景技術】
【０００２】
従来、この種書類収納ケースとして例えばレーターケースと呼ばれる書類整理箱がある。この書類整理箱は、書類が水平状態で収納できる複数の引出し本体を多段に重ねて成形されている（例えば、特許文献１参照。）。ところで、一般に使用されている書類は現在ほとんどＡ４サイズ（縦２９ｃｍ×横２１ｃｍ）の用紙が多用されており、これに合わせて前記書類整理箱もＡ４サイズの用紙が水平状態のままで収納できる大きさを有している。
【特許文献１】実開平５−５３９８９号公報（第２頁、図１乃至図３）
【発明の開示】
【発明が解決しようとする課題】
【０００３】
しかしながら、前記書類整理箱はＡ４サイズの書類が水平状態のままで収容される大きさを有することから、比較的広い設置面積を必要とする。このため、書斎や事務室にあっても書類整理箱は場所を取り、特に机上に書類整理箱を設置した場合、それにより机上面が狭められて机上面を広く使用することができないといった課題があった。また、複数の引出し本体が多段に重ねられていると前記書類整理箱の容積も比較的大きくなって、持ち運びなど移動に苦慮し取り扱い難いといった課題もあった。
【０００４】
そこで、本発明は上記課題を解決すべくなされたもので、書類を折り返し一部重ならせて収納できるようにすることにより、設置面積を狭くでき、しかも容積も小さくなって取り扱い易い書類収納ケースを提供することを目的とするものである。
【課題を解決するための手段】
【０００５】
かかる目的を達成するため本発明に係る書類収納ケースは、前壁に開設される書類出入口と、該前壁の後側に前記書類出入口と連通し書類が収納し得るように成形される書類収納室とを備え、前記書類収納室の前後方向の寸法は書類の収納方向の寸法よりも短く、前記書類収納室の奥端部に後方へ窪んで湾曲し書類出入口から挿入される書類の先端部を折り返して書類出入口側へ導く凹弧面を設けた構成からなる。
【０００６】
この際、前記書類収納室の内壁面に、書類出入口から挿入される書類の基端部がほぼ書類出入口に達したとき、書類の先端部が嵌り込んで停止する受止部を設けることが好ましい。
【０００７】
前記書類収納ケースには、書類出入口を横向きに設け書類が横に寝た水平状態で収納される横置き式と、書類出入口を縦向きに設け書類が縦に起立した鉛直状態で収納される縦置き式とがあり、いずれの場合も本発明が適用できる。また、横置き式の書類収納ケースにあっては、書類収納室の内壁面である底壁の上面を奥端部に向かって下傾させることが好ましい。これにより、書類収納室に収納された書類が書類出入口から無用に食み出たり落下するのを防止できる。
【発明の効果】
【０００８】
本発明に係る書類収納ケースは、書類出入口と該書類出入口と連通する書類収納室とを備え、書類収納室の前後方向の寸法を書類の収納方向の寸法よりも短く、また、書類収納室の奥端部に後方へ窪んで湾曲する凹弧面を設けたので、書類出入口から書類収納室内に挿入される書類の先端部が凹弧面で折り返され書類出入口側へ導かれることになる。これにより、書類を折り返し一部重ならせて収納できるようになり、書類収納ケースの設置面積を狭くでき、場所を取らずしかも容積も小さくなって取り扱い易いという効果がある。
【０００９】
また、前記書類収納室の内壁面に、前記書類出入口から挿入される書類の基端部がほぼ書類出入口に達したとき、該書類の先端部が嵌り込んで停止する受止部を設けるようにすれば、書類収納室に収納される書類は常に一定の位置で停止することになる。よって、複数枚の書類を収納してもこれらは整然とまとまり、その出し入れが容易に行なえるという効果がある。
【発明を実施するための最良の形態】
【００１０】
以下、本発明に係る書類収納ケースの実施の形態を図面に基づき詳しく説明する。そこで、第一実施の形態として横置き式の書類収納ケース（以下、単に「横式収納ケース」という。）について説明し、第二実施の形態として縦置き式の書類収納ケース（以下、単に「縦式収納ケース」という。）について説明する。また、一般に書類Ｐすなわち用紙のサイズはＡ５、Ａ４、Ｂ５、Ｂ４と種々あるが、第一・二実施の形態に係る縦・横式収納ケースは各寸法がＡ４サイズ用に設定されている。なお、他のサイズの用紙にあっても本発明は適用できるが、それら大きさに対応させて縦・横式収納ケースの各寸法が設定される。
【００１１】
図１は、第一実施の形態に係る横式収納ケースの斜視図、図２は同側面断面図、図３は図２のＸ−Ｘ線断面図である。横式収納ケースＣ１は、例えば合成樹脂材により成形され、直方体形状をなす。内部には後記する書類Ｐを収容する書類収容室１が上下二段に重ねて設けられる。この実施の形態では、書類収納室１が上下二段に重ねられたものを説明するが、他に一段でも良く、また三段、四段、五段更にはそれ以上多段に重ねて設けるようにしても良い。また、横式収納ケースＣ１の材質は、合成樹脂材以外に例えばダンボール紙といった厚紙、金属、木またはこれらの組合せであっても良い。
【００１２】
横式収納ケースＣ１は、前壁２ａ、後壁２ｂ及び左右の側壁２ｃ，２ｃにより周囲が囲われ、前壁２ａに横向きの書類出入口３が上下に二個開設される。各書類出入口３の横幅はＡ４サイズの書類が縦長にして挿通できる寸法を有し、縦幅は収納される書類Ｐの枚数により適宜選択される。書類出入口３の下縁の中央部には書類収容室１と連通し指先が差し込める窪み部４が凹設されている。そして、前壁２ａの後側に各書類出入口３と連通し書類Ｐが収納し得るように成形される書類収納室１が上下に備えられている。これら書類収納室１，１はいずれも同じ構造からなるので、便宜上一方の書類収納室１について説明する。
【００１３】
書類収納室１の前後方向の寸法Ｌは、書類Ｐの収納方向の寸法（書類Ｐにあって縦寸法２９ｃｍ）よりも短い。すなわち、書類収納室１内では先端部ｐ１が折り返された状態で書類Ｐが収納できるようになっている。よって、本発明の目的を達成するためには、横式収納ケースＣ１の設置面積を小さくする必要性があることから、前記のように書類収納室１の前後方向の寸法Ｌが書類Ｐの収納方向の寸法よりも短かければ短いほど良い。ただ、書類収納室１に書類Ｐを収納し得ることが条件であり、この点を考慮して書類収納室１の前後方向の寸法Ｌは、書類Ｐの収納方向の寸法の２分の１の長さよりも少し長い寸法が選ばれる。
【００１４】
書類収納室１の内壁面である底壁５の上面は奥端部に向かって下傾しており、該奥端部に後方へ窪んで湾曲する凹弧面６が設けられている。凹弧面６の下側は底壁５の上面と面一となっており、上側は内壁面である天壁７の下面と面一になっている。これにより、前記書類出入口１から挿入される書類Ｐの先端部ｐ１は底壁５の上面に沿って奥端部側へ進むと共に続き凹弧面６に沿って上方へ折り返され、更に天壁７の下面に沿って書類出入口３側へ導かれることになる。
【００１５】
前記書類収納室１の天壁７の下面に、書類収納室１の奥端部側へ突出する支持片部８が設けられ、該支持片部８と天壁７の下面との間に書類収納室１の奥端部側を開放した受止部９が設けられる。そして、前記天壁７の下面に沿って書類出入口３側に導かれる書類Ｐの先端部ｐ１が受止部９に嵌り込んで停止する。この書類Ｐが停止する位置は、前記書類出入口３から挿入される書類Ｐの基端部ｐ２がほぼ書類出入口３に達したときである。
【００１６】
横式収納ケースＣ１の上部に、周囲を前壁２ａ、後壁２ｂ及び両側壁２ｃ，２ｃにより囲まれ、開放した上面を開閉自在に軸着される蓋板１０により被う小物収納室１１が設けられている。この小物収納室１１には、例えば消しゴム、筆記具といった事務用品や財布といった貴重品が収納できるようになっている。
【００１７】
第一実施の形態に係る横式収納ケースＣ１は上記構成からなり、例えば机上に置かれる。そして、図４（イ）実線に示すように前側から書類出入口３を介して書類収納室１内に書類Ｐを挿入する。挿入された書類Ｐは書類収納室１の底壁５の上面に沿って奥端部側へ進み、更に、書類Ｐの先端部ｐ１が図４（イ）鎖線に示すように奥端部の凹弧面６に沿って上方へ屈曲して折り返される。
【００１８】
前記折り返された書類Ｐの先端部ｐ１は天壁７の下面に沿って書類出入口３側へ進み、図４（ロ）鎖線に示すようにその先端部ｐ１が受止部９に嵌り込んで停止する。このとき、書類Ｐの基端部ｐ２はほぼ書類出入口３に達している。このようにして、図４（ハ）に示すように書類出入口３を介して書類収納室１に複数枚の書類Ｐを収納できる。また、書類収納室１に収納される書類Ｐは、図４鎖線に示すようにそれら先端部ｐ１が垂れ下がろうとしてもすべて支持片部８により受け止められる。よって、いずれの書類Ｐも先に挿入された書類Ｐにより何ら邪魔されることがなくスムーズに挿入でき収納される。書類収納室１に収納された各書類Ｐは、書類出入口３の窪み部４に指先を差し込むことで容易に摘め簡単に引き出すことができる。
【００１９】
このように、第一実施の形態に係る横式収納ケースＣ１は、書類収納室１の前後方向の寸法Ｌを書類Ｐの収納方向の寸法よりも短くし、また、書類収納室１の奥端部に後方へ湾曲する凹弧面６を設けるようにしたので、書類出入口３から書類収納室１内に挿入される書類Ｐの先端部ｐ１が折り返され一部重なるようにして収納できる。よって、横式収納ケースＣ１の設置面積を書類Ｐの用紙の規定面積（例えば、Ａ４サイズ）よりも狭くでき、横式収納ケースＣ１を机上に設置した場合も、場所を取らず机上が広く使用できる。また、横式収納ケースＣ１の容積も小さくなって取り扱い易い。
【００２０】
更に、前記書類収納室１の天壁７の下面に受止部９を設けたので、書類出入口３から挿入される書類Ｐの先端部ｐ１が受止部９に嵌り込んで停止したとき、その基端部ｐ２がほぼ書類出入口３に達し、書類収納室１に収納される書類Ｐは常に一定の位置で停止することになる。よって、書類Ｐを複数枚収納しても整然とまとまり、これら書類Ｐの出し入れが容易に行なえる。
【００２１】
図５、図６は第二実施の形態に係る縦式収納ケースを示すもので、図５は第二実施の形態に係る縦式収納ケースの斜視図、図６は同平面断面図である。この縦式収納ケースＣ２も前記横式収納ケースＣ１と同様に、例えば合成樹脂材により成形され、直方体形状をなす。内部には書類Ｐを収容する書類収容室２１が左右に二列設けられる。この実施の形態では、書類収納室２１が左右に二列あるものを説明するが、他に一列でも良く、また三列、四列、五列更にはそれ以上多列に設けるようにしても良い。また、縦式収納ケースＣ２の材質は、合成樹脂材以外に例えばダンボール紙といった厚紙、金属、木またはこれらの組合せであっても良い。
【００２２】
縦式収納ケースＣ２は、前壁２２ａ、後壁２２ｂ及び左右の側壁２２ｃ，２２ｃにより周囲を囲われ、前壁２２ａに縦向きの書類出入口２３が左右に二個開設される。各書類出入口２３の縦幅はＡ４サイズの書類が縦長にして挿通できる寸法を有し、横幅は収納される書類Ｐの枚数により適宜選択される。各書類出入口２３の両側縁中央部には書類収容室２１と連通し指先が差し込める窪み部２４，２４が凹設されている。そして、前壁２２ａの後側に各書類出入口２３と連通し書類Ｐが収納し得るように成形される書類収納室２１が左右に備えられる。これら書類収納室２１，２１はいずれも第一実施の形態に係る書類収納室１と向きは異なるがほとんど同じ構造をなしている。そこで、この場合も便宜上一方の書類収納室２１について説明する。
【００２３】
書類収納室２１の前後方向の寸法Ｌは、書類Ｐの収納方向の寸法（書類Ｐにあって縦寸法２９ｃｍ）よりも短い。すなわち、書類収納室２１内では先端部ｐ１が折り返された状態で書類Ｐが収納できるようになっている。よって、本発明の目的を達成するためには、縦式収納ケースＣ２の設置面積を小さくする必要性があることから、前記のように書類収納室２１の前後方向の寸法Ｌが書類Ｐの収納方向の寸法よりも短かければ短いほど良い。ただ、この場合も書類収納室２１に書類Ｐが収納し得ることが条件であり、この点を考慮し書類収納室２１の前後方向の寸法Ｌは、書類Ｐの収納方向の寸法の２分の１の長さよりも少し長い寸法が選ばれる。
【００２４】
書類収納室２１の奥端部には後方へ窪んで湾曲する凹弧面２６が設けられている。凹弧面２６の一側は一方の内壁面である仕切壁２５の内面と面一となっており、他側は他方の内壁面である仕切壁２７の内面と面一になっている。また、凹弧面２６は、仕切壁２５の内面または仕切壁２７の内面に沿って挿入される書類Ｐの先端部ｐ１が凹弧面２６に当接した後に必ず同一方向へ折り返されるようにその形状が選ばれる。
【００２５】
前記書類収納室２１の他方の仕切壁２７の内面に、書類収納室２１の奥端部側へ突出する支持片部２８が設けられ、該支持片部２８と他方の仕切壁２７の内面との間に書類収納室２１の奥端部側が開放される受止部２９が設けられる。そして、前記他方の仕切壁２７の内面に沿って書類出入口２３側に導かれる書類Ｐの先端部ｐ１が受止部２９に嵌り込んで停止する。この書類Ｐが停止する位置も、前記書類出入口２３から収納される書類Ｐの基端部ｐ２がほぼ該書類出入口２３に達したときである。
【００２６】
縦式書類収納ケースＣ２の上部にも、周囲を前壁２２ａ、後壁２２ｂ及び両側壁２２ｃ，２２ｃにより囲まれ、開放した上面を開閉自在に軸着される蓋板３０により被う小物収納室３１が設けられている。この小物収納室３１にも、例えば消しゴム、筆記具といった事務用品や財布といった貴重品が収容できるようになっている。
【００２７】
第二実施の形態に係る縦式収納ケースＣ２は上記構成からなり、例えば机上に置かれる。そして、この場合も第一実施の形態と同様に前側から書類出入口２３を介して書類収納室２１内に書類Ｐを起立した鉛直状態で挿入する。挿入された書類Ｐは図６に示すように書類収納室２１のいずれかの仕切壁２５または仕切壁２７の内面に沿って奥端部側へ進む。更に、書類Ｐの先端部ｐ１が凹弧面２６に沿って一側方へ屈曲して折り返される。前記折り返された書類Ｐの先端部ｐ１は他方の仕切壁２７の内面に沿って書類出入口２３側へ進み、その先端部ｐ１が受止部２９に嵌り込んで停止する。このとき、書類Ｐの基端部ｐ２はほぼ書類出入口２３に達している。
【００２８】
以後同様にして、書類出入口２３を介し書類収納室２１に複数枚の書類Ｐを挿入して収納できる。また、書類収納室２１に収納された書類Ｐは、書類出入口２３の窪み部２４，２４に指先を差し込むことで容易に摘め簡単に引き出すことができる。
【００２９】
第二実施の形態に係る縦式収納ケースＣ２も、本来縦式であってその設置面積を狭くできる上に、書類収納室２１の前後方向の寸法Ｌを書類Ｐの収納方向の寸法よりも短くし、また、書類収納室２１の奥端部に後方へ湾曲する凹弧面２６を設けるようにしたので、書類出入口２３から書類収納室２１内に挿入される書類Ｐの先端部ｐ１が折り返され一部重なるようにして収納できる。よって、この場合も縦式収納ケースＣ２の設置面積を書類Ｐの用紙の規定面積（例えば、Ａ４サイズ）よりも狭くすることができ、縦式収納ケースＣ２を机上に設置した場合も、場所を取らず机上が広く使用できる。また、縦式収納ケースＣ２の容積も小さくなって取り扱い易い。
【００３０】
更に、前記書類収納室２１の他方の仕切壁２７の内面に受止部２９を設けたので、書類出入口２３から挿入される書類Ｐの先端部ｐ１が受止部２９に嵌り込んで停止したとき、その基端部ｐ２がほぼ書類出入口２３に達し、書類収納室２１に収納される書類Ｐは常に一定の位置で停止することになり、複数枚収納しても整然とまとまりこれら書類Ｐの出し入れが容易に行なえるという第一実施の形態の横式収納ケースＣ１と同等の効果が得られる。
【図面の簡単な説明】
【００３１】
【図１】第一実施の形態に係る横式収納ケースの斜視図。
【図２】同側面断面図。
【図３】図２のＸ−Ｘ線断面図。
【図４】（イ）（ロ）（ハ）は作用説明図。
【図５】第二実施の形態に係る縦式収納ケースの斜視図。
【図６】同平面断面図。
【符号の説明】
【００３２】
１                    書類収納室
２ａ                  前壁
３                    書類出入口
５                    内壁面（底壁）
６                    凹弧面
９                    受止部
Ｃ１                  横式収納ケース
Ｃ２                  縦式収納ケース
Ｌ                    書類収納室の前後方向の寸法
Ｐ                    書類
【図１】
2006205675.tif 000003
【図２】
2006205675.tif 000004
【図３】
2006205675.tif 000005
【図４】
2006205675.tif 000006
【図５】
2006205675.tif 000007
【図６】
2006205675.tif 000008